(57)【特許請求の範囲】
【請求項１】
温風発生装置等を内蔵する下本体と、その上に載置される食器収納庫と、食器収納庫内に出し入れ可能に設置される食器を収納する食器かごと、食器収納庫を覆う開閉自在の蓋を有し、前記食器かごにアタッチメントを着脱可能な食器乾燥器において、
前記食器かごは鋼線で作られ、
前記アタッチメントは、中心部が湾曲し所定の幅を有すると共にその一端は、食器かごの底面の食器を受ける位置の鋼線に軸支され回動可能にされ、該アタッチメントの軸支されない他端には爪くぼみ部が、更に前記爪くぼみ部の先端には爪が形成され、
前記アタッチメントを食器立てとして使用しない場合は、前記アタッチメントの一端が前記食器かごの底面の鋼線に軸支され、他端の爪くぼみ部が前記食器立ての側面の鋼線にはめ込まれ、
前記アタッチメントを食器立てとして使用しない状態から食器立てとして使用する状態に変える際には、ユーザが前記爪を引くことにより爪くぼみ部の固定を解除し、前記アタッチメントの一端を前記食器かごの底面の鋼線の軸を中心に回動させ、前記アタッチメントの他端の爪くぼみ部を食器かごの底面の鋼線にはめ込むことによって伏臥状態にするように構成したことを特徴とする食器乾燥器。
【発明の詳細な説明】
【技術分野】
【０００１】
本発明は食器乾燥器を構成する部材、特に食器乾燥器用食器かごの構成に特徴を有する食器乾燥器に関する。
【背景技術】
【０００２】
一般に、食器乾燥器は図１の正面図に示すような構成である。１は温風発生装置等を内蔵する下本体、２は内部の食器収納庫を覆う開閉自在の蓋である。図２は開閉自在の蓋２を開いた状態図であり、乾燥室を形成する庫内には食器かご３が出し入れ可能に設置されている。
【０００３】
従来の食器かごの構成を図３〜図５に示す。図３は食器かご３の斜視図であり、食器かご３は縦方向の鋼線４で食器かご側面を、横方向の鋼線６で食器かご底面を構成している。縦方向の鋼線４には食器かご側面に階段状に曲げ込んだ角部５が形成されている。
【０００４】
図４は、食器かご３の側面図であり、西洋皿７ａは、階段状に曲げ込んだ縦方向の鋼線５に引掛かり立っている状態を示している。図５は、食器かご３の上面図であり、西洋皿７ａおよび深皿７ｂが立っている状態を示している。西洋皿７ａは側面の階段状に曲げ込んだ角部５に十分支持されるが、深皿７ｂは階段状に曲げ込んだ角部５が短いため、しっかりと保持されないため不安定な状態となる。他にも種々の食器かごの形状は公知である（例えば、特許文献１参照）。
【０００５】
このように、従来の食器かごでは側面縦方向の鋼線を階段状に曲げ、その曲げた角部に多種類の大きさの皿を引掛けて、皿を立てていた。
【特許文献１】特開２００３−７９５６３号公報
【発明の開示】
【発明が解決しようとする課題】
【０００６】
上述のように、多種類の大きさの皿を立てるには、食器かご側面縦方向階段状の鋼線の段差を大きくすると良いが、そうすると底面の面積が減少し、コップ等や食器を伏せて人れる時は、使い勝手が悪くなる。よって食器かご側面縦方向階段状の鋼線の段差は、中途半端な段差となり、両方の使い勝手も中途半端になっているという問題があった。そこで本発明は、食器かご側面縦方向の鋼線に段差を設けずに、底面積を広くし、使用時の目的により、食器立て専用の鋼線で作られたアタッチメントを、鋼線の弾性を用い、食器かごに確実に取付けられるようにした食器乾燥器を提供することを目的とする。
【課題を解決するための手段】
【００１６】
本発明に係る食器乾燥器は、温風発生装置等を内蔵する下本体と、その上に載置される食器収納庫と、食器収納庫内に出し入れ可能に設置される食器を収納する食器かごと、食器収納庫を覆う開閉自在の蓋を有し、前記食器かごにアタッチメントを着脱可能な食器乾燥器において、前記食器かごは鋼線で作られ、前記アタッチメントは、中心部が湾曲し所定の幅を有すると共にその一端は、食器かごの底面の食器を受ける位置の鋼線に軸支され回動可能にされ、該アタッチメントの軸支されない他端には爪くぼみ部が、更に前記爪くぼみ部の先端には爪が形成され、前記アタッチメントを食器立てとして使用しない場合は、前記アタッチメントの一端が前記食器かごの底面の鋼線に軸支され、他端の爪くぼみ部が前記食器立ての側面の鋼線にはめ込まれ、前記アタッチメントを食器立てとして使用しない状態から食器立てとして使用する状態に変える際には、ユーザが前記爪を引くことにより爪くぼみ部の固定を解除し、前記アタッチメントの一端を前記食器かごの底面の鋼線の軸を中心に回動させ、前記アタッチメントの他端の爪くぼみ部を食器かごの底面の鋼線にはめ込むことによって伏臥状態にするように構成した。
【００１８】
こうして、本発明の食器乾燥器の第３の実施形態は、ワンタッチで食器立て用のアタッチメントの設置、取り外しが行なえると、共にアタッチメントが食器かごと一体のため、取り外し時の紛失の心配や保管場所の確保の必要がないメリットがある。
【発明の効果】
【００１９】
以上のように、本発明の食器乾燥器の第１の実施形態は、食器かごの底面積を広くしているので、コップ等や食器を伏せて入れる時は、沢山人り、また、食器を立てるときは、食器立て専用のアタッチメントを取り付けるので食器も立ち易くなり、両方の使い勝手が良くなる。
【００２０】
また、本発明の食器乾燥器の第２の実施形態は、食器かごの食器を立てるアタッチメントの鋼線の位置を、使用者の希望する位置に移動できるようにするで、立てられる食器の大きさを選べて使用者の希望に沿うことができる。
【００２１】
更に、本発明の食器乾燥器の第３の実施形態は、ワンタッチで食器立て用のアタッチメントの設置、取り外しが行なえると、共にアタッチメントが食器かごと一体のため、取り外し時の紛失の心配や保管場所の確保の必要がないメリットがある。
【発明を実施するための最良の形態】
【００２２】
以下に、本発明の食器乾燥器に使用される食器かごとアタッチメントについて図６〜図１３を参照して説明する。
図６は、本発明の食器かごの斜視図であり、食器かご３は縦方向の鋼線４で食器かご側面を、横方向の鋼線６で食器かご底面を、食器かご側面の上辺を鋼線８で、食器かご側面の底辺を鋼線９で構成している。縦方向の鋼線４には食器かご側面に階段状に曲げ込んだ角部は形成されていない。即ち、食器かご側面の縦方向の鋼線４は段差がない。
【００２３】
図７は、本発明の食器立て専用の鋼線で作られたアタッチメント１０の斜視図である。アタッチメント１０は上辺を形成する横方向の鋼線１１と、縦方向の鋼線１２が並列に複数個設けられ、横方向の鋼線１１に固着される。縦方向の鋼線１２はその頂点の近くで曲部１４が形成され、その途中には一方向に階段状に曲げ込んだ角部１４が形成されている。また、階段状に曲げ込んだ角部１４は食器かご側面の横方向の鋼線６と平行に形成することも、角度をもって形成することもできる。そしてアタッチメントの縦方向の鋼線１２の下部にはフック部１５が形成される。このフック部１５は図６の底辺の鋼線９に引っ掛けるためのものである。
【００２４】
図８は、食器立て専用のアタッチメント１０を食器かご３に取り付けた斜視図である。アタッチメント１０の食器を立てる縦の鋼線１２は、食器を引掛けるために階段状に曲げ込んだ角部１４が形成されており、かつ弾性があるので、食器かご３に取り付け時は、アタッチメントの縦方向の鋼線１２の下部のフック部１５を食器かご３の底辺の鋼線９に引っ掛け、アタッチメント１０を図の上方向に引っ張り、アタッチメント１０の上部の縦方向の鋼線１２の頂点の近くの曲部１３を食器かご３の側面上辺の鋼線８に引っ掛けることにより、確実に取り付き、着脱自在である。
【００２５】
図９は、食器立て専用のアタッチメント１０を食器かご３に取り付けて西洋皿７を立てた側面図である。食器立て専用アタッチメント１０の食器を引掛ける部分１４は、食器かご側面縦方向の鋼線４と底面の横方向の鋼線６との交差点９より、食器かご内側方向に入っているので、多種類の大きさの皿をたてることが可能となる。
【００２６】
図１０（ａ）は、本発明の食器かご３の側面図であり、食器かご側面に階段状の曲がり部が存在しないので、図１０（ｂ）に示す従来のかごより底面積が増加しているので、コップ１６等を伏せて入れる時は、使い勝手が良くなっている。
【００２７】
図１１は、本発明の食器立て専用アタッチメントを食器かごに取り付けた上面図である。食器立て専用アタッチメント１０の食器を引掛ける部分１４は、食器かご側面の横方向の鋼線６と角度をもって形成され途中で曲がっており、西洋皿７ａ、および深皿７ｂも立ち易くなっている。
【００２８】
図１２は、アタッチメント１０の食器かごへの取り付け方法のバリエーションであり、アタッチメントの縦方向の鋼線１２の下部には曲げ部１７が形成される。この曲げ部１７をアタッチメントの底辺の鋼線１８に固着し、底辺の鋼線１８の両端には曲げ部１９、１９を形成し引っ掛け部としている。
【００２９】
アタッチメント１０の食器かご３に取り付ける際には、図１３に示すように、アタッチメント下部両端の曲げ部９、１９を、図６の食器かごの底面の鋼線６の下に潜らせるように引っ掛け、アタッチメント上部のフック部１３を図６の鋼線８に引っ掛ける。食器の立て方は上述したものと同様である。
【００３０】
次に、他の食器かごとアタッチメントの実施形態を図１４〜図２１を参照して説明する。この実施形態は、食器かごの食器を立てる鋼線の位置を、使用者の希望する位置に移動できるようにし、立てられる食器の大きさを選べて使用者の希望に沿うようにするものである。図１４は本発明の食器かごの上面図、図１５（Ａ）は食器かごの側面図、図１５（Ｂ）は食器かごの前面図である。４は縦方向の鋼線、６は底面の横方向の鋼線、８は食器かご３の側面上辺の鋼線であり、底面の横方向の鋼線６のそれぞれには凸形状２１が形成されている。
【００３１】
図１６は、食器かご３に取り付けるアタッチメントの他の実施形態であり、同図（Ａ）は上面図、同図（Ｂ）は正面図、同図（Ｃ）は側面図である。アタッチメント２０は平行な鋼線２２、２３を間隔保持の鋼線２４により矩形状にし、鋼線２２と２３の一端にはフック２５Ａ、２５Ｂが形成されている。他端にはフック２６Ａ、２６Ｂが形成されている。フック２５とフック２６の開口方向は同じ向きとする。
【００３２】
このアタッチメント２０を食器かご３の底面に取り付け、小さい食器を立てている状態を図１７に示す。図１７において、アタッチメント２０を鋼線の隙間に食器７ａの糸底が納まる間隔の位置になるように調整し、鋼線２２、２３それぞれの一端のフック２５Ａ、２５Ｂおよび他端のフック２６Ａ、２６Ｂを底面の横方向の鋼線６のそれぞれに形成された凸形状２１の位置で、差し込み取り付ける。これにより、小さな食器７ａも確実に保持することができる。
【００３３】
図１８（Ａ）は、この実施形態のアタッチメントを食器かごの底面に取り付け、小さい食器を立てている状態図（側面図）であり、図１８（Ｂ）は前面図である。小さな食器７ａは、食器かご３の食器を受ける位置の底面の鋼線２７とアタッチメント２０の食器を受ける鋼線２３で保持される。図１９は、アタッチメント２０を移動して食器かごに取り付けたとき、立てられる食器のおおよその大きさを示している。
【００３４】
図２０、図２１はこの実施形態のアタッチメント２０を食器かご３の底面に取り付け、大きな食器を立てている状態の上面図と側面図であり、食器を立てる機能と設定は、図１７〜図１９の場合と同じであるから、説明は省略する。これにより、食器かごの食器を立てる鋼線の位置を、使用者の希望する位置に移動できるようにするで、立てられる食器の大きさを選べて使用者の希望に沿うことができる。
【００３５】
次に、食器かご３とそれに取り付けるアタッチメントの他の実施形態について説明する。図２２は食器かごにアタッチメントを回動可能に軸支した状態の側面図である。図において、中心部が湾曲し所定の幅を有するアタッチメント３０の一端は、食器かご３の底面の食器を受ける位置の鋼線２７に軸支され、回動可能にされている。アタッチメント３０の軸支されない他端には爪くぼみ部３２の延長に爪３１が形成されている。
【００３６】
図２２（Ａ）は食器立て（アタッチメント）を使用しない状態であり、食器立てを使用する場合は、起立状態のアタッチメント３０の爪３１を矢印方向に引くことによって固定を解除し、アタッチメント３０は鋼線２７の軸の回りに回動させる。爪くぼみ部３２を食器かご３の鋼線２８にはめ込み、図２２（Ｂ）に示すように、伏臥状態で固定する。
【００３７】
食器立て（アタッチメント）を使用しない場合は、図２２（Ｂ）に示す状態から、矢印部分を押すことにより、爪くぼみ部３２の固定を解除し、食器立て（アタッチメント）を起立させ、アタッチメント３０の鋼線を食器かご３の鋼線くぼみ３３にはめ込むことによって食器立てを図２２（Ａ）の起立状態にする。
【００３８】
図２３には、このようなアタッチメント３０を食器かご３に使用状態を示し、アタッチメント３０ａは食器立てとして使用しない起立状態であり、他のアタッチメント３０ｂは食器立てとして使用中の状態である。
【００３９】
このように、この実施形態はワンタッチで食器立ての設置、取り外しが行なえると、共にアタッチメントが食器かごと一体のため、取り外し時の紛失の心配や保管場所の確保の必要がないメリットがある。
【００４０】
更に、本発明の食器乾燥器は他の構成部材にも工夫を施しているので、その実施形態についても説明する。図２４〜図２８は食器乾燥器用の水受けカップに関する実施形態であり、水の溜まった水受けカップを、本体から引き出して水を捨てるとき、殆どの食器乾燥器の水受けカップは浅いので、水をこぼしてしまうことがあったので、それを解決する実施形態である。
【００４１】
図２４は食器乾燥器の本体外観図の側面図を示し、１は温風発生装置等を内蔵する下本体、２は内部の食器収納庫を覆う開閉自在の蓋である。図２は開閉自在の蓋２を開いた状態図であり、乾燥室を形成する庫内には食器かご３が出し入れ可能に設置されている。
【００４２】
図２５は本発明の食器乾燥器用の水受けカップ３５である。図２５（Ａ）は側面図、図２５（Ｂ）は上面図であり、水受けカップ３５に着脱自在な蓋３６が取り付けられている。その蓋３６にフロート３７が上下に動くように取り付けられている。フロート３７には穴３８が開いていて水受けに入った水が水受けカップ３５に溜まり易くなっている。
【００４３】
また、図２８は本発明の食器乾燥器の正面図であって、水受けカップ３５には目盛り３９があり、フロート３７の位置で水量が認識できるようになっている。図２６は、水受けカップ３５に水４０が半分溜まった状態を示す図であり、水４０が溜まるとそれに伴ってフロート３７は浮いて常に水面にある。
【００４４】
図２７は、水４０がほぼ満水になった状態の図であり、この状態で、水受けカップ３５を本体１から引き抜いて水面４１が揺れても蓋３６があるので、縁からこぼれることはない。また、水の入れ口にはフロート３７が水面４１に浮いているので、水が跳ねず水がこぼれ難くなる。
【００４５】
次に、本発明の食器乾燥器のフィルターの清掃機構についての実施形態を説明する。
食器乾燥器の吸気口にあるフィルターは、吸気により埃等が付着するので、定期的な清掃をしなければならないが、清掃することを忘れ、乾燥性能の悪化、及びそれによる電気代の増加が起こっていた。また、埃等が溜まり過ぎると安全装置が働き、運転できなくなる状態になることもあった。
【００４６】
そこで本発明の食器乾燥器では、かかる問題を解決するものである。図２９は、本発明の開閉自在の蓋を開いた状態の食器乾燥器の正面図であり、１は温風発生装置等を内蔵する下本体、２は内部の食器収納庫を覆う開閉自在の蓋である。乾燥室を形成する庫内には食器かご３が出し入れ可能に設置されている。下本体１の底部の３５は水受けカップ、４３はフィルター、５０はブラシである。
【００４７】
本発明の食器乾燥器の側面図は図２４と同じとなる。図３０は、本発明の水受けカップ３５の構成図であり、側面に歯２が形成されている。図３１は、本発明の食器乾燥器の底面から見た図である。図において、本体１に水受けカップ２５、及びフィルター４３が取り付けられたフィルターフレーム４４が取り付けられている。本体には、軸４５を回転の中心とした歯車４６とプーリー４７が収り付けられており、歯車４６が回転するとプーリー４７も回転するようになっている。プーリー４７とプーリー４８にはベルト４９が取り付けられており、ベルト４９のフィルター４３側には、フィルター４３を清掃するブラシ５０を取り付けたブラシ保持部５１が固定してある。これらの機構の要部断面図を図３２に示す。
【００４８】
図３３は、水受けカップ３５を途中まで引き抜いた図である。水受カップ３５を引き抜くことにより、歯車４６が回転しそれに伴いプーリー４７も回転し、べルト４９も回転するので、ブラシ保持部５１が本体後方に移動し、ブラシ５０がフィルター４３をこするので、フィルター４３に付着した埃等がフィルター４３から落とされる。
【００４９】
図３４は水受けカップ３５を本体から抜いた図である。ブラシ５０は、フィルター４３の後部まで移動しており、フィルター４３の全面を清掃している。また、水を捨てた水受けカップ３５を再度本体１に差し込むと、ブラシ５０は再びフィルター４３の前方まで移動する。このように、水受けのカップ３５を一度抜き差しすると、ブラシ５０が往復しフィルター４３を清掃する。
【００５０】
このように、水受けカップは水が溜まるので、殆ど食器乾燥器の運転毎に、水受けのカップを本体から抜いて水を捨てた後、再度本体に取り付けている。この動作をする度にフィルターが清掃されるので、清掃を忘れがちな吸気口フィルターの清掃を、運転毎に抜き差しする水受けカップの動きを利用して行うので、フィルターは常に清掃された状態を保つことができる。
【００５１】
次に、本発明の食器乾燥器のフィルターの清掃機構についての他の実施形態を説明する。図３５、図３６は本発明の食器乾燥器の側面図である。本体１に蓋２、及びフィルター４３が取り付けられている。図３５は蓋２を閉じた図であり、蓋２を閉じた状態では、スプリング５２の力により、フィルター４３を清掃するブラシ５０はフィルター４３の上方に移動している。
【００５２】
図３６は蓋２を開けた図であり、蓋２を開けた状態では、フィルター４３を清掃するブラシ５０に連結しているピン５３を蓋２で押し込むことによって、ブラシ５０が下方向に移動し、ブラシ５０がフィルター４３をこするので、フィルター４３に付着した埃等がフィルター４３から落とされる。これにより、清掃を忘れがちな吸気口フィルターの清掃を、運転毎に開閉する蓋の動きを利用して行うので、フィルターは常に清掃された状態を保つことができる。
【００５３】
次に、本発明の食器乾燥器が常温であるか、高温であるかを表示する実施形態を説明する。
従来、食器乾燥器の庫内の食器かごの樹脂製把持部に、所定の温度範囲を超えると変色し、温度が下がると元の色に戻る可逆性を有する塗料の塗装、または可逆性樹脂が練り込まれている温度表示手段はは公知である（例えば、特許文献２参照。）。しかしこの技術では、食器乾燥器の運転中、及び運転直後は食器類、食器かご、箸立て等が熱く、手で触ると焼けどする心配があるが、目視では熱いのかどうか判断できなかった。
【特許文献２】特開２００３−３８４１２号公報
【００５４】
そこで本発明の実施形態は、食器乾燥器の運転中及び、運転直後の庫内が熱いときは、当然蓋も熱く、蓋に取り付けたサーモ変色ラベルの表示（絵または文字等）が現れ使用者に注意を促せ、また、反対に常温時にサーモ変色ラベルの表示（絵または文字等）が現れ使用者に安全であることを知らせるように構成したものである。図３７、図３８を参照して説明する。
【００５５】
図３７は食器乾燥器の正面図であり、１は温風発生装置等を内臓した本体、２は開閉自在の蓋である。庫内には食器かごが設置されている。蓋２には温度によって色が変化して表示が可能な、例えば「サーモテープ」と呼ばれる、サーモ変色ラベル５４を取り付けられている。そして、食器乾燥器の運転中、及び運転直後の庫内高温時に、温度を検知して文字表示にて「熱いので注意してください」ということを使用者に知らせる。
【００５６】
図３８は反対に、サーモ変色ラベル５４が食器乾燥器の庫内が常温時に「さわっても、大丈夫です。」と常温なので触っても良い、旨のことを文字表示にて使用者に知らる。当然これらの表示は、文字・絵・イラスト・記号・色等のいずれでも可能である。このように、食器乾燥器の食器類を取り出したりする時、乾燥器の庫内が「熱い（危険）」または、「常温（安全）」かが視覚で判断でき、使用者に注意を促すことができる。
【図面の簡単な説明】
【００５７】
【図１】食器乾燥器（正面図）。
【図２】蓋開時の食器乾燥器（正面図）。
【図３】従来例の食器かご斜視図。
【図４】従来例の食器かご（側面図）。
【図５】従来例の食器かご（上面図）。
【図６】本発明の食器かご（斜視図）。
【図７】本発明のアタッチメントの（斜視図）。
【図８】本発明のアタッチメントを食器かごに取り付た図（斜視図）。
【図９】本発明のアタッチメントを食器かごに取り付た図（側面図）。
【図１０】本発明の食器かご（側面図）。
【図１１】本発明のアタッチメントを食器かごに取り付た図（上面図）。
【図１２】本発明のアタッチメント（バリエーション）（斜視図）。
【図１３】本発明のアタッチメントを食器かごに取り付た図（バリエーション）（斜視図）。
【図１４】本発明の食器かごの上面図。
【図１５】食器かごの側面図および前面図。
【図１６】アタッチメントの他の実施形態の上面図、正面図、側面図。
【図１７】小さい食器を立てている状態図。
【図１８】アタッチメントに小さい食器を立てている状態の側面図および前面図。
【図１９】食器かごに立てられる食器のおおよその大きさを示す図。
【図２０】本発明の他のアタッチメントに大きな食器を立てている状態の上面図。
【図２１】本発明のアタッチメントに大きな食器を立てている状態の側面図。
【図２２】食器かごに本発明の他のアタッチメントを回動可能に軸支した状態の側面図。
【図２３】アタッチメントを食器かごに使用状態図。
【図２４】食器乾燥器の本体外観図の側面図。
【図２５】本発明の食器乾燥器用の水受けカップの側面図および上面図。
【図２６】水受けカップに水が半分溜まった状態図。
【図２７】水受けカップに水がほぼ満水になった状態図。
【図２８】本発明の食器乾燥器の正面図。
【図２９】本発明の開閉自在の蓋を開いた状態の食器乾燥器の正面図。
【図３０】本発明の水受けカップの構成図。
【図３１】本発明の食器乾燥器の底面から見た図。
【図３２】フィルターを清掃する機構の要部断面図。
【図３３】水受けカップを途中まで引き抜いた図。
【図３４】水受けカップを本体から抜いた図。
【図３５】本発明の食器乾燥器の側面図（蓋を閉時）。
【図３６】本発明の食器乾燥器の側面図（蓋を開時）。
【図３７】本発明の食器乾燥器の正面図（高温時）。
【図３８】本発明の食器乾燥器の正面図（常温時）。
【符号の説明】
【００５８】
１          食器乾燥器の下本体
２          開閉自在の蓋
３          食器かご
４          縦方向の鋼線
６          横方向の鋼線
７          食器
１０        第１の実施形態のアタッチメント
２０        第２の実施形態のアタッチメント
２１        凸形状
２５，２６  フック
３０        第３の実施形態のアタッチメント
３１        爪
３２        爪くぼみ部
３５        水受けカップ
３６        水受けカップの蓋
３７        フロート
４３        フィルター
４７，４８  プーリー
４９        ベルト
５０        ブラシ
５２        スプリング
５３        ピン
５４        サーモ変色ラベル
【図１】
0004785592.tif 000002
【図２】
0004785592.tif 000003
【図３】
0004785592.tif 000004
【図４】
0004785592.tif 000005
【図５】
0004785592.tif 000006
【図６】
0004785592.tif 000007
【図７】
0004785592.tif 000008
【図８】
0004785592.tif 000009
【図９】
0004785592.tif 000010
【図１０】
0004785592.tif 000011
【図１１】
0004785592.tif 000012
【図１２】
0004785592.tif 000013
【図１３】
0004785592.tif 000014
【図１４】
0004785592.tif 000015
【図１５】
0004785592.tif 000016
【図１６】
0004785592.tif 000017
【図１７】
0004785592.tif 000018
【図１８】
0004785592.tif 000019
【図１９】
0004785592.tif 000020
【図２０】
0004785592.tif 000021
【図２１】
0004785592.tif 000022
【図２２】
0004785592.tif 000023
【図２３】
0004785592.tif 000024
【図２４】
0004785592.tif 000025
【図２５】
0004785592.tif 000026
【図２６】
0004785592.tif 000027
【図２７】
0004785592.tif 000028
【図２８】
0004785592.tif 000029
【図２９】
0004785592.tif 000030
【図３０】
0004785592.tif 000031
【図３１】
0004785592.tif 000032
【図３２】
0004785592.tif 000033
【図３３】
0004785592.tif 000034
【図３４】
0004785592.tif 000035
【図３５】
0004785592.tif 000036
【図３６】
0004785592.tif 000037
【図３７】
0004785592.tif 000038
【図３８】
0004785592.tif 000039